(57)【特許請求の範囲】
【請求項１】
電柱から需要家に向かって下り傾斜した状態で配置された低圧引込線に取り付けでき、前記低圧引込線の内部の雨水を排水自在な低圧引込線用水抜き具であって、
屈曲自在な連結部を一端部側に有し、他端部側を開閉自在に構成し、前記低圧引込線を外周方向から挟持自在な半円弧溝を内部に有する一対の半円筒状部材と、
これらの半円筒状部材の内部に配置され、前記低圧引込線の内部の雨水を導水自在に、前記低圧引込線の被覆を外周方向から部分的に切断自在な一つ以上の刃部材と、を備え、
一対の前記半円筒状部材は、前記刃部材を介して、前記低圧引込線の内部の雨水を外部に排水自在な水抜き溝を前記半円弧溝の内壁の軸方向に延出している、低圧引込線用水抜き具。
【請求項２】
一方の前記半円筒状部材は、前記刃部材を中央部に配置し、
他方の前記半円筒状部材は、一対の前記刃部材を中央部から所定距離、離隔した状態で配置している、請求項１記載の低圧引込線用水抜き具。
【請求項３】
一方の前記半円筒状部材は、前記水抜き溝を前記半円弧溝の底部の中央部に有し、
他方の前記半円筒状部材は、前記水抜き溝を前記半円弧溝の底部の中央部に有している、請求項１又は２記載の低圧引込線用水抜き具。
【請求項４】
一方の前記半円筒状部材は、その他端部側に配置された一つ以上の鉤状のロックアームを備え、
他方の前記半円筒状部材は、その他端部側に突出し、前記ロックアームが係止自在な係合穴を開口した鍔状のラッチ片を備えている、請求項１から３のいずれかに記載の低圧引込線用水抜き具。
【請求項５】
一方の前記半円筒状部材は、その他端部側に鍔状に突出し、開閉自在な一対の把持爪を先端部に備えた絶縁操作棒を用いて、把持自在な把持片を備えている、請求項１から４のいずれかに記載の低圧引込線用水抜き具。
【発明の詳細な説明】
【技術分野】
【０００１】
本発明は、低圧引込線用水抜き具に関する。特に、電柱から需要家に引き込まれた低圧引込線の内部に進入した雨水が需要家側に流入することを抑制する低圧引込線用水抜き具の構造に関する。
【背景技術】
【０００２】
例えば、電柱には、変圧器を設置している。そして、電柱に架設した高圧配電線に印加された高電圧を変圧器で降圧し、低圧配電線で家庭又は事業所に電力を供給している。このような低圧引込線の装柱例としては、電柱上に垂直に配列した低圧配電線から低圧引込線を引き込む低圧引込線の引込構造が開示されている（例えば、特許文献１参照）。
【０００３】
図７は、従来技術による低圧引込線の装柱例の構成を示す正面図である。図８は、図７の要部を拡大した正面図である。なお、本願の図７と図８は、特許文献１の図８と図９に相当している。
【０００４】
図７を参照すると、電柱Ｐには、変圧器Ｔを設置している。変圧器Ｔは、電柱Ｐに架設した高圧配電線Ｗｈに印加された高電圧を低電圧に降圧している。図８を参照すると、電柱Ｐは、腕金Ａを水平状態に固定している。腕金Ａの端部には、バインドレス碍子Ｇｂを支持している。
【０００５】
図８を参照すると、低圧引込線Ｗｄは、バインドレス碍子Ｇｂの一端部に係留している。低圧配電線Ｗｅは、ヒューズを内部に収容したケッチホルダ（いわゆる、ヒューズホルダ）Ｋを介して、低圧引込線Ｗｄに分岐配線している。
【０００６】
図８を参照すると、低圧引込線Ｗｄに至る低圧配電線Ｗｅの途上に、ヒューズを直列に接続しておくことで、低圧引込線Ｗｄに異常電流が流れることを防止できる。又、低圧引込線Ｗｄに至る低圧配電線Ｗｅの途上に、ケッチホルダＫを取り付けておくことで、低圧引込線Ｗｄの内部に雨水が進入することを防止できる。
【０００７】
電線の内部に雨水が進入することを防止するケッチホルダとしては、ヒューズを取り付けできると共に電線の端部を接続自在な本体と、この本体部のヒューズの取り付け箇所を覆って絶縁性を確保する一対の筒形ホルダと、を備え、雨水などが表面を流れて滞留することがないように、斜めの姿勢で設置できる、閉止タイプのケッチホルダが開示されている（例えば、特許文献２参照）。
【先行技術文献】
【特許文献】
【０００８】
【特許文献１】特開平１０−３２９１８号公報
【特許文献２】特開２０１２−２８１００号公報、図５
【発明の概要】
【発明が解決しようとする課題】
【０００９】
図９は、従来技術によるケッチホルダの構成を示す正面図である。なお、本願の図９は、特許文献２の図５に相当している。図９を参照すると、従来技術によるケッチホルダ９は、円柱状のホルダ本体９０、第１筒形ホルダ９１、及び、第２筒形ホルダ９２を備えている。
【００１０】
図９を参照すると、ホルダ本体９０は、その中央部にヒューズＦを着脱自在に固定している。ヒューズＦは、一方の電線Ｗと他方の電線Ｗを電気的に接続している。第１筒形ホルダ９１は、一方の電線Ｗを挿通自在な穴９１ｈを一端部に開口している。又、第１筒形ホルダ９１は、雌ねじ部９１ｆを他端部に形成している。第１筒形ホルダ９１は、ホルダ本体９０の一端部側を内部に収容できる。
【００１１】
図９を参照すると、第２筒形ホルダ９２は、他方の電線Ｗを挿通自在な穴９２ｈを他端部に開口している。又、第２筒形ホルダ９２は、雄ねじ部９２ｍを一端部に形成している。雄ねじ部９２ｍは、雌ねじ部９１ｆに螺合できる。第２筒形ホルダ９２は、ホルダ本体９０の他端部側を内部に収容できる。
【００１２】
図９を参照して、第１筒形ホルダ９１と第２筒形ホルダ９２の内部にホルダ本体９０を収容した状態で、第１筒形ホルダ９１と第２筒形ホルダ９２を互いに締結すると、ホルダ本体９０の両端部が穴９１ｈ及び穴９２ｈを密閉できる。これにより、特許文献２によるケッチホルダ９は、電線の内部に雨水が進入することを防止できる、としている。
【００１３】
しかしながら、図８を参照すると、雨水が進入することを防止するケッチホルダＫは、電圧線のみに取り付けられており、接地線には取り付けられていないのが現状である。このため、低圧引込線Ｗｄの接地線の内部に進入した雨水が積算電力計の接続端子に流入するという問題があった。そして、これに起因して、積算電力計の接続端子を腐食させ、異常電圧を発生させる心配があった。
【００１４】
このような問題に対して、低圧引込線の接地線の被覆にナイフなどで切り込みを入れ、低圧引込線の接地線の内部の雨水が積算電力計の接続端子に流入しないように、排水していた。しかし、このような対策では、低圧引込線の被覆が劣化した場合に、芯線が露出して、感電又は短絡の心配がある。
【００１５】
低圧引込線の接地線の内部に進入した雨水を効果的に排水できる、低圧引込線用水抜き具が求められている。そして、以上のことが本発明の課題といってよい。
【００１６】
本発明は、このような課題に鑑みてなされたものであり、低圧引込線の内部に進入した雨水が需要家側に流入することを抑制するために、低圧引込線の内部に進入した雨水を効果的に排水できる、低圧引込線用水抜き具を提供することを目的とする。
【課題を解決するための手段】
【００１７】
本発明者は、低圧引込線を外周方向から挟持自在な一対の半円筒状部材で低圧引込線用水抜き具を構成し、低圧引込線の被覆に切り込みを入れる一つ以上の刃部材をこれらの半円筒状部材の内部に配置し、刃部材を介して、低圧引込線の内部の雨水を排水自在な水抜き溝を半円筒状部材の内壁の軸方向に形成することで、低圧引込線の内部に進入した雨水を効果的に排水できると考え、これに基づいて、以下のような新たな低圧引込線用水抜き具を発明するに至った。
【００１８】
（１）本発明による低圧引込線用水抜き具は、電柱から需要家に向かって下り傾斜した状態で配置された低圧引込線に取り付けでき、前記低圧引込線の内部の雨水を排水自在な低圧引込線用水抜き具であって、屈曲自在な連結部を一端部側に有し、他端部側を開閉自在に構成し、前記低圧引込線を外周方向から挟持自在な半円弧溝を内部に有する一対の半円筒状部材と、これらの半円筒状部材の内部に配置され、前記低圧引込線の内部の雨水を導水自在に、前記低圧引込線の被覆を外周方向から部分的に切断自在な一つ以上の刃部材と、を備え、一対の前記半円筒状部材は、前記刃部材を介して、前記低圧引込線の内部の雨水を外部に排水自在な水抜き溝を前記半円弧溝の内壁の軸方向に延出している。
【００１９】
（２）一方の前記半円筒状部材は、前記刃部材を中央部に配置し、他方の前記半円筒状部材は、一対の前記刃部材を中央部から所定距離、離隔した状態で配置してもよい。
【００２０】
（３）一方の前記半円筒状部材は、前記水抜き溝を前記半円弧溝の底部の中央部に有し、他方の前記半円筒状部材は、前記水抜き溝を前記半円弧溝の底部の中央部に有してもよい。
【００２１】
（４）一方の前記半円筒状部材は、その他端部側に配置された一つ以上の鉤状のロックアームを備え、他方の前記半円筒状部材は、その他端部側に突出し、前記ロックアームが係止自在な係合穴を開口した鍔状のラッチ片を備えていることが好ましい。
【００２２】
（５）一方の前記半円筒状部材は、その他端部側に鍔状に突出し、開閉自在な一対の把持爪を先端部に備えた絶縁操作棒を用いて、把持自在な把持片を備えてもよい。
【発明の効果】
【００２３】
本発明による低圧引込線用水抜き具は、低圧引込線の被覆を部分的に切断する刃部材を一対の半円筒状部材の内部に配置し、刃部材を介して、低圧引込線の内部の雨水を排水自在な水抜き溝を半円筒状部材の内壁の軸方向に形成することで、低圧引込線の内部に進入した雨水を効果的に排水できる。
【図面の簡単な説明】
【００２４】
【図１】本発明の一実施形態による低圧引込線用水抜き具の構成を示す図であり、図１（Ａ）は、低圧引込線用水抜き具の正面図、図１（Ｂ）は、低圧引込線用水抜き具の平面図、図１（Ｃ）は、低圧引込線用水抜き具の左側面図、図１（Ｄ）は、図１（Ａ）のＡ−Ａ矢視断面図である。
【図２】前記実施形態による低圧引込線用水抜き具の構成を示す斜視図であり、一対の半円筒状部材を開いた状態図である。
【図３】前記実施形態による低圧引込線用水抜き具の構成を示す図であり、図３（Ａ）は、一対の半円筒状部材を開いた状態図で示す正面図、図３（Ｂ）は、図３（Ａ）の左側面図である。
【図４】前記実施形態による低圧引込線用水抜き具の構成を示す正面図であり、低圧引込線用水抜き具を低圧引込線に取り付けた状態図である。
【図５】前記実施形態による低圧引込線用水抜き具を操作する間接活線工事用絶縁操作棒の一例の構成を示す正面図である。
【図６】図５に示した間接活線工事用絶縁操作棒の先端部を拡大した正面図である。
【図７】従来技術による低圧引込線の装柱例の構成を示す正面図である。
【図８】図７の要部を拡大した正面図である。
【図９】従来技術によるケッチホルダの構成を示す正面図である。
【発明を実施するための形態】
【００２５】
以下、図面を参照して本発明を実施するための形態を説明する。
［低圧引込線用水抜き具の構成］
最初に、本発明の一実施形態による低圧引込線用水抜き具の構成を説明する。
【００２６】
図１は、本発明の一実施形態による低圧引込線用水抜き具の構成を示す図であり、図１（Ａ）は、低圧引込線用水抜き具の正面図、図１（Ｂ）は、低圧引込線用水抜き具の平面図、図１（Ｃ）は、低圧引込線用水抜き具の左側面図、図１（Ｄ）は、図１（Ａ）のＡ−Ａ矢視断面図である。
【００２７】
図２は、前記実施形態による低圧引込線用水抜き具の構成を示す斜視図であり、一対の半円筒状部材を開いた状態図である。
【００２８】
図３は、前記実施形態による低圧引込線用水抜き具の構成を示す図であり、図３（Ａ）は、一対の半円筒状部材を開いた状態図で示す正面図、図３（Ｂ）は、図３（Ａ）の左側面図である。
【００２９】
図４は、前記実施形態による低圧引込線用水抜き具の構成を示す正面図であり、低圧引込線用水抜き具を低圧引込線に取り付けた状態図である。なお、従来技術で使用した符号と同じ符号を付した構成品は、その作用を同一にするので、以下の説明では省略することがある。
【００３０】
（全体構成）
図１から図４を参照すると、本発明の一実施形態による低圧引込線用水抜き具（以下、水抜き具と略称する）１０は、一対の半円筒状部材１１・１２と三つの刃部材２を備えている。一対の半円筒状部材１１・１２は、屈曲自在に連結した連結部１３ｈを一端部側に備えている。一対の半円筒状部材１１・１２は、それらの他端部側を開閉できる。一対の半円筒状部材１１・１２は、絶縁性を有する合成樹脂で一体成形することが好ましい。
【００３１】
図１から図３を参照すると、一対の半円筒状部材１１・１２は、低圧引込線Ｗｄを外周方向から挟持自在な半円弧溝１１１・１２１を内部に有している。水抜き具１０は、一対の半円筒状部材１１・１２を閉じることで、低圧引込線Ｗｄを真直状態で挟持できる。又、水抜き具１０は、一対の半円筒状部材１１・１２を閉じることで、低圧引込線Ｗｄを外側から覆うことができる（図４参照）。
【００３２】
図１から図３を参照すると、三つの刃部材２は、一対の半円筒状部材１１・１２の内部に配置されている。一対の半円筒状部材１１・１２を閉じた状態では、これらの刃部材２は、低圧引込線Ｗｄの被覆Ｗｉを外周方向から部分的に切断できる。そして、これらの刃部材２は、低圧引込線Ｗｄの内部の雨水を導水できる。
【００３３】
図１から図３を参照すると、低圧引込線Ｗｄの内壁の軸方向に延出している。同様に、他方の半円筒状部材１２は、水抜き溝１２ｄを半円弧溝１２１の内壁の軸方向に延出している。
【００３４】
図４を参照して、一対の半円筒状部材１１・１２を閉じた状態では、刃部材２を介して、低圧引込線Ｗｄの内部の雨水Ｗｒを外部に排水できる。
【００３５】
図１から図４を参照すると、実施形態による水抜き具１０は、低圧引込線Ｗｄの被覆Ｗｉを部分的に切断する一つ以上の刃部材２を一対の半円筒状部材１１・１２の内部に配置し、刃部材２を介して、低圧引込線Ｗｄの内部の雨水Ｗｒを排水自在な水抜き溝１１ｄ・１２ｄを半円筒状部材１１・１２の内壁の軸方向に形成することで、低圧引込線Ｗｄの内部に進入した雨水Ｗｒを効果的に排水できる。
【００３６】
（一対の半円筒状部材の構成）
次に、一対の半円筒状部材１１・１２の構成を説明する。図２又は図３を参照すると、一方の半円筒状部材１１は、刃部材２を中央部に配置している。一方、他方の半円筒状部材１２は、一対の刃部材２・２を中央部から所定距離、離隔した状態で配置している。刃部材２は、その刃先を半円弧状に形成しておくことが好ましく、刃部材２の刃先が低圧引込線Ｗｄの芯線Ｗｃに当接することが好ましい。
【００３７】
図２又は図３を参照すると、一方の半円筒状部材１１は、一対の水抜き溝１１ｄ・１１ｄを半円弧溝１１１の両端部に有している。又、一方の半円筒状部材１１は、水抜き溝１１ｄを半円弧溝１１１の底部の中央部に有している。これらの水抜き溝１１ｄは、その断面を方形に形成している。
【００３８】
同様に、図２又は図３を参照すると、他方の半円筒状部材１２は、一対の水抜き溝１２ｄ・１２ｄを半円弧溝１２１の両端部に有している。又、他方の半円筒状部材１２は、水抜き溝１２ｄを半円弧溝１２１の底部の中央部に有している。これらの水抜き溝１２ｄは、その断面を方形に形成している。
【００３９】
図１から図４を参照すると、一方の半円筒状部材１１は、一対の鉤状のロックアーム１１ｒ・１１ｒを他端部側に備えている。他方の半円筒状部材１２は、その他端部側に鍔状に突出した一対のラッチ片１２ｔ・１２ｔを備えている。ロックアーム１１ｒをラッチ片１２ｔに設けた開口１２ｈに挿入することで、一対の半円筒状部材１１・１２をロックでき、一対の半円筒状部材１１・１２を略密着した状態で閉じることができる。
【００４０】
図１から図４を参照すると、一方の半円筒状部材１１は、その他端部側に突出した鍔状の把持片１１ｓを更に備えている。先端部に把持工具６２を有する絶縁操作棒６を用いて、把持片１１ｓを把持できる（図５又は図６参照）。
【００４１】
図１から図４を参照して、図５に示した絶縁操作棒６を用いて、把持片１１ｓを把持することで、高所に配置された低圧引込線Ｗｄに向かって（図４参照）、水抜き具１０を移動できる。又、先端部に把持工具６２を有する別の絶縁操作棒６を用いて（図５又は図６参照）、ラッチ片１２ｔを把持し、別の絶縁操作棒６を操作することで、一対の半円筒状部材１１・１２を閉じることもできる。
【００４２】
（絶縁操作棒の構成）
次に、水抜き具１０を操作するための間接活線工事用絶縁操作棒の一例の構成を説明する。図５は、前記実施形態による低圧引込線用水抜き具を操作する間接活線工事用絶縁操作棒の一例の構成を示す正面図である。図６は、図５に示した間接活線工事用絶縁操作棒の先端部を拡大した正面図である。
【００４３】
図５又は図６を参照すると、間接活線工事用絶縁操作棒（以下、絶縁操作棒という）６は、長尺の操作棒６１と把持工具６２で構成している。又、絶縁操作棒６は、作動棒６３を備えている。把持工具６２は、操作棒６１の先端部に取り付けている。
【００４４】
図５又は図６を参照すると、把持工具６２は、開閉する一対の湾曲した把持腕６ａ・６ｂで構成している。そして、一方の把持腕６ａは、基端部が固定された固定腕であり、他方の把持腕６ｂは、一方の把持腕６ａの基端部に設けた回動軸６ｃを中心に回動する可動腕となっている。
【００４５】
図５を参照すると、操作棒６１は、その手許部に操作レバー６４を配置している。作動棒６３は、操作棒６１に沿って配置されている。作動棒６３の先端部は、他方の把持腕６ｂに回動自在に連結している。一方、作動棒６３の基端部は、操作レバー６４を連結している。
【００４６】
図５を参照して、操作レバー６４を操作すると、一方の把持腕６ａに対して、他方の把持腕６ｂを開閉できる。絶縁操作棒６は、操作棒６１及び作動棒６３の中間部が絶縁性を有するプラスチックパイプなどで構成され、間接活線工法に好適なように、絶縁性を確保している。
【００４７】
図５を参照して、操作レバー６４を握って、操作レバー６４を操作棒６１に近づけると、一方の把持腕６ａに対して、他方の把持腕６ｂを閉じることができる。操作レバー６４を解放すると、操作レバー６４に連結したばね（図示せず）の力で、一方の把持腕６ａに対して、他方の把持腕６ｂを開くことができる。図５又は図６は、一方の把持腕６ａに対して、他方の把持腕６ｂが最大に開いた状態を示している。
【００４８】
図５又は図６を参照して、一方の把持腕６ａは、先細り状の把持爪６１ａを突出している。把持爪６１ａは、把持面６０ａを形成している。把持面６０ａは、回動軸６ｃの回転中心から遠心方向に沿って略平行に形成されている。同様に、他方の把持腕６ｂは、先細り状の把持爪６１ｂを突出している。把持爪６１ｂは、把持面６０ｂを形成している。把持面６０ｂは、把持面６０ａと所定の開角を設けて配置されている。図５又は図６を参照して、操作レバー６４を握ると、把持面６０ｂを把持面６０ａに近づけることができる。
【００４９】
図５又は図６に示した絶縁操作棒６は、高所に配置された高圧配電線などを一対の把持爪６１ａ・６１ｂで把持できる、いわゆる「絶縁ヤットコ」になっている。そして、絶縁操作棒６を用いて、水抜き具１０を操作できる。
【００５０】
［低圧引込線用水抜き具の作用］
次に、実施形態による水抜き具１０の操作方法を説明しながら、水抜き具１０の作用及び効果を説明する。
【００５１】
最初に、図２又は図３を参照して、絶縁操作棒６を用いて（図５又は図６参照）、把持片１１ｓを把持し、一対の半円筒状部材１１・１２が開いた状態で、高所に配置された低圧引込線Ｗｄに向かって（図４参照）、水抜き具１０を移動する。なお、低圧引込線Ｗｄは、電柱Ｐから需要家に向かって下り傾斜した状態で配置されている（図４参照）。
【００５２】
次に、図２又は図３を参照して、一対の半円筒状部材１１・１２が開いた状態で、低圧引込線Ｗｄを一方の半円筒状部材１１の半円弧溝１１１に導入する。次に、別の絶縁操作棒６を用いて（図５又は図６参照）、ラッチ片１２ｔを把持し、複数の刃部材２が低圧引込線Ｗｄの被覆Ｗｉを外周方向から部分的に切断でき、低圧引込線Ｗｄの内部の雨水Ｗｒを排水できる（図４参照）。そして、一連の作業を終了する。
【００５３】
図１から図４を参照して、実施形態による水抜き具１０は、低圧引込線Ｗｄの被覆Ｗｉを部分的に切断する一つ以上の刃部材２を一対の半円筒状部材１１・１２の内部に配置し、刃部材２を介して、低圧引込線Ｗｄの内部の雨水Ｗｒを排水自在な水抜き溝１１ｄ・１２ｄを半円筒状部材１１・１２の内壁の軸方向に形成することで、低圧引込線Ｗｄの内部に進入した雨水Ｗｒを効果的に排水できる。
【００５４】
図１から図４を参照して、実施形態による水抜き具１０は、開閉自在な一対の把持爪６１ａ・６１ｂを先端部に備えた絶縁操作棒６を用いて（図５又は図６参照）、把持できる把持片１１ｓを備えているので、間接活線工法により、安全に電気工事できる。
【００５５】
図１から図４を参照して、実施形態による水抜き具１０は、互いに係止可能なロックアーム１１ｒとラッチ片１２ｔとを有している。ロックアーム１１ｒをラッチ片１２ｔに設けた開口１２ｈに挿入することで、一対の半円筒状部材１１・１２を確実にロックできる。
【００５６】
本発明による低圧引込線用水抜き具は、以下の効果が期待できる。
（１）低圧引込線の内部に進入した雨水が積算電力計に流入することを抑制できる。
（２）低圧引込線の内部に進入した雨水を効果的に排水できるので、低圧引込線の張替回数を低減できる。
（３）低圧引込線の寿命を延命できる。
（４）小型・軽量であることから持ち運びに便利である。
【符号の説明】
【００５７】
２  刃部材
１０  水抜き具（低圧引込線用水抜き具）
１１・１２  一対の半円筒状部材
１１ｄ  水抜き溝
１２ｄ  水抜き溝
１３ｈ  連結部
１１１  半円弧溝
１２１  半円弧溝
Ｗｄ  低圧引込線
Ｗｉ  被覆
【図１】
0006578926.tif 000002
【図２】
0006578926.tif 000003
【図３】
0006578926.tif 000004
【図４】
0006578926.tif 000005
【図５】
0006578926.tif 000006
【図６】
0006578926.tif 000007
【図７】
0006578926.tif 000008
【図８】
0006578926.tif 000009
【図９】
0006578926.tif 000010